(57)【要約】  本発明は、冷房または除湿運転により生じる凝縮水を排出するためのドレン穴（７ｈ）を有するドレンパン（７）を備える室内機（Ｃｉ）を具備する空気調和機（Ｃ）の製造方法であって、ドレンパン（７）のドレン穴（７ｈ）を成形する第１金型（１７）と第２金型（１８）とを備え、ドレン穴（７ｈ）の成形後に第１金型（１７）が移動する際に、前記第１金型（１７）と前記第２金型（１８）のつき合わせ部の一部に前記第１金型（１７）が重なっている。
2019167118.tif 000002
【特許請求の範囲】
【請求項１】
冷房または除湿運転により生じる凝縮水を排出するためのドレン穴を有するドレンパンを備える室内機を具備する空気調和機の製造方法であって、
前記ドレンパンの前記ドレン穴を成形する第１金型と第２金型とを備え、
前記ドレン穴の成形後に前記第１金型が移動する際に、前記第１金型と前記第２金型とのつき合わせ部の一部に前記第１金型が重なる
ことを特徴とする空気調和機の製造方法。
【請求項２】
請求項１に記載の空気調和機の製造方法において、
前記つき合わせ部の一部が、前記ドレン穴の内部、もしくは外部に配置されている
ことを特徴とする空気調和機の製造方法。
【請求項３】
冷房または除湿運転により生じる凝縮水を排出するためのドレン穴を有するドレンパンを備える室内機を具備する空気調和機の製造金型であって、
前記ドレンパンの前記ドレン穴を成形する第１金型と第２金型とを備え、
前記ドレン穴の成形後に前記第１金型が移動する際に、前記第１金型と前記第２金型のつき合わせ部との一部に前記第１金型が重なるように構成されている
ことを特徴とする空気調和機の製造金型。
【請求項４】
請求項３に記載の空気調和機の製造金型において、
前記つき合わせ部の一部が、前記ドレン穴の内部、もしくは外部に配置されている
ことを特徴とする空気調和機の製造金型。
【発明の詳細な説明】
【技術分野】
【０００１】
本発明は、空気調和機の製造方法および製造金型に関する。
【背景技術】
【０００２】
従来、空気調和機の冷房・除湿運転時に、室内機で生成される凝縮水は、特許文献１に記載されるように排水されている。
具体的には、室内機における凝縮水をドレンパンで受けて、ドレンパンのドレン穴に接続されたホースを通して室外に排水している。【０００３】
ドレンパンは、樹脂用金型を用いて樹脂で成形されている。
【先行技術文献】
【特許文献】
【０００４】
【特許文献１】特開２０１７−２２７３９８号公報（図３Ａ、図３Ｂ、段落００２２等）
【発明の概要】
【発明が解決しようとする課題】
【０００５】
ところで、上述のドレン穴を樹脂用金型で成形する際に、現状の金型構成では成形不具合があると穴が塞がってしまう事象が発生する場合がある。この場合、室内機のドレンパンから水があふれ、室内機から水漏れが発生する。【０００６】
そこで、ドレンパンに成形の不具合があり、ドレン穴に樹脂が入り込んでしまった際には、人の手により入り込んだ樹脂を除去して対応している。
そのため、ドレンパンに成形不具合があり、万が一、人の手による除去処理がきちんと行われなかった場合、室内機から水漏れが発生してしまうおそれがある。【０００７】
本発明は上記実状に鑑み創案されたものであり、ドレンパンの成形を信頼性高く行える空気調和機の製造方法および製造金型の提供を目的とする。
【課題を解決するための手段】
【０００８】
前記課題を解決するため、第１の本発明の空気調和機の製造方法は、冷房または除湿運転により生じる凝縮水を排出するためのドレン穴を有するドレンパンを備える室内機を具備する空気調和機の製造方法であって、前記ドレンパンの前記ドレン穴を成形する第１金型と第２金型とを備え、前記ドレン穴の成形後に前記第１金型が移動する際に、前記第１金型と前記第２金型とのつき合わせ部の一部に前記第１金型が重なっている。【０００９】
第２の本発明の空気調和機の製造金型は、冷房または除湿運転により生じる凝縮水を排出するためのドレン穴を有するドレンパンを備える室内機を具備する空気調和機の製造金型であって、前記ドレンパンの前記ドレン穴を成形する第１金型と第２金型とを備え、前記ドレン穴の成形後に前記第１金型が移動する際に、前記第１金型と前記第２金型のつき合わせ部との一部に前記第１金型が重なるように構成されている。
【発明の効果】
【００１０】
本発明によれば、ドレンパンの成形を信頼性高く行える空気調和機の製造方法および製造金型を提供できる。
【図面の簡単な説明】
【００１１】
【図１】本発明に係る実施形態の空気調和機の室内機と室外機を示す斜視図。
【図２】室内機を示す概略横断面図。
【図３】室内機の一部を切り欠いた斜視図。
【図４】ドレンパンのドレン穴周りの横断面図。
【図５Ａ】ドレンパンの成形過程の断面図。
【図５Ｂ】ドレンパンの成形過程の断面図。
【図５Ｃ】ドレンパンの成形過程の断面図。
【図６】ドレンパンの成形不具合時の射出成形後にＡ金型、Ｂ金型、およびＣ金型を取り外す際のドレン穴付近の拡大断面図。
【図７Ａ】変形例のドレンパンのドレン穴付近を成形する状態を示す断面図。
【図７Ｂ】変形例のドレンパンの成形不具合時の射出成形後にＡ金型、Ｂ金型、およびＣ金型を取り外す際のドレン穴付近の拡大断面図。
【発明を実施するための形態】
【００１２】
以下、本発明の実施形態について、適宜図面を参照しながら詳細に説明する。
【００１３】
図１に、本発明に係る実施形態の空気調和機Ｃの室内機Ｃｉと室外機Ｃｏを示す。
実施形態の空気調和機Ｃは、室内機Ｃｉと室外機Ｃｏとを具備している。
【００１４】
室外機Ｃｏと室内機Ｃｉの内部には、冷媒が流れる配管１４で接続される冷凍サイクルが構成されている。
【００１５】
室内機Ｃｉは屋内に設置され、屋内の空気調和を行う。
室外機Ｃｏは、屋外に設置され、その内部に冷凍サイクルの主な機械要素が格納されている。
【００１６】
室外機Ｃｏの内部は、図示しない仕切り板によって、送風室Ｃｏ１と機械室Ｃｏ２とに分割されている。
送風室Ｃｏ１には、手前側に室外熱交換器２が格納され、奥側に室外ファン３が格納されている。
【００１７】
室外熱交換器２は、送風室Ｃｏ１の内外周部の向かって左側部および後部に、上方から見てＬ字状に折れ曲がった形状で設置されている。室外熱交換器２の前方には、室外機Ｃｏの後方から（図１の矢印α１０）室外熱交換器２に空気を送るための室外ファン３が配置されている。
【００１８】
機械室Ｃｏ２の内部には、冷凍サイクルを構成する図示しないアキュムレータ、圧縮機、膨張弁、四方弁等が配管１４を介して連結されている
室外機Ｃｏの右上には、室外ファン３を駆動するファンモータや圧縮機等を制御する電気品箱４が配設されている。
【００１９】
図２に、室内機Ｃｉの概略横断面図を示す。図３に、室内機Ｃｉの一部を切り欠いた斜視図を示す。
室内機Ｃｉには、外周部に室内熱交換器５が設置され、中央部に室内ファン６が設置されている。これらの他に、室内機Ｃｉは、ドレンパン７、筐体ベース８、フィルタ９ａ、９ｂ、前面パネル１０、左右風向板１１、および上下風向板１２を備えている。
【００２０】
室内熱交換器５は、複数のフィンｆと、フィンｆを貫通する複数の伝熱管ｇとを有している。室内熱交換器５は、前側室内熱交換器５ａと、後側室内熱交換器５ｂとを有している。
室内熱交換器５は、伝熱管ｇを流れる冷媒と、室内ファン６により外部から送り込まれる（図２の矢印α１１）室内空気との間で、熱交換が行われる。
【００２１】
室内ファン６は、ファンモータの駆動によって、室内熱交換器５に室内空気を送り込むファンであり、室内熱交換器５の近くに設置されている。室内ファン６は、例えば、円筒状のクロスフローファンである。
室内ファン６は、複数のファンブレード６ａと、ファンブレード６ａが設置される仕切板６ｂと、駆動源である室内ファンモータ（図示せず）とを備えている。
【００２２】
ドレンパン７は、室内熱交換器５、配管１４等の凝縮水を受けるものであり、前側室内熱交換器５ａの下方に配置されている。
筐体ベース８は、室内熱交換器５や室内ファン６等の機器が設置される強度部材である。
【００２３】
フィルタ９ａは、室内熱交換器５の前側に設置され、前側の空気吸込口ｈ１に向かう空気から塵埃を除去する。フィルタ９ｂは、室内熱交換器５の上側に設置され、上側の空気吸込口ｈ２に向かう空気から塵埃を除去する。
【００２４】
前面パネル１０は、前側のフィルタ９ａを覆うように設置される意匠パネルであり、下端部の軸（図示せず）周りに前側に回動可能になっている。
左右風向板１１（図２参照）は、室内ファン３の回転に伴って室内に吹き出される空気の左右方向の流れを調整する部材である。上下風向板１２は、室内ファン３の回転に伴って室内に吹き出される空気の上下方向の流れを調整する部材である。
【００２５】
図４に、ドレンパン７のドレン穴７ｈ周りの横断面図を示す。
ドレンパン７には、排水孔であるドレン穴７ｈが形成されている。ドレンパン７のドレン穴７ｈには、ドレン配管１３が接続されている。ドレン配管１３は、例えば可撓性のあるホースやチューブで構成されているが、これに限定されない。
【００２６】
ドレンパン７で受けた水分は、ドレン配管１３を介して、屋外へ排出される。
ドレン水のみならず室内熱交換器５、配管１４から漏洩した冷媒も、ドレンパン７の内部に誘導される構成である。ドレンパン７は、室内熱交換器５や配管１４で発生したドレン水や漏れた冷媒を受ける際に、受けたドレン水等が室内機Ｃｉの外部へ流出しないように例えば四方が壁７ｋで形成された上方に開口をもつ有底の皿形状を有している。
【００２７】
ドレンパン７は、樹脂を用いて射出成型されている。
ドレンパン７には、ドレンパン７を室内機Ｃｉの内部に支持するための前支持部７ｓ１と側支持部７ｓ２とがそれぞれ前下方と後下方に延びて形成されている。
【００２８】
図５Ａ〜図５Ｃに、ドレンパン７の成形過程の断面図を示す。
【００２９】
図５Ａに示すように、ドレンパン７は、樹脂成形用のＡ金型１６、Ｂ金型１７、およびＣ金型１８を用いて成形される。
Ａ金型１６は、ドレンパン７の前下部形状を成形する。Ａ金型１６は、ドレンパン７の前支持部７ｓ１と側支持部７ｓ２とを成形する形状に形成されている。
【００３０】
Ｂ金型１７は、ドレンパン７の内部形状とドレン穴７ｈの一部とを成形する。そこで、Ｂ金型１７は、ドレンパン内部形状部１７ａとドレンパン内部形状部１７ａから後下方に突出するドレン穴一部形成凸部１７ｂが形成されている。ドレン穴一部形成凸部１７ｂは、成形後にＢ金型１７を取り外す際にＢ金型１７とＣ金型１８の突き合わせ面７ｈ１を通って移動する（図６の矢印α２９）。ドレン穴一部形成凸部１７ｂは、ドレン穴７ｈの内部に一部突出する形状であれば、半円柱形状やその他の形状でもよい。
【００３１】
Ｃ金型１８は、ドレンパン７の後部形状を成形する。Ｃ金型１８は、ドレンパン７の後部形状を形成する形状を有し、排出孔のドレン穴７ｈを成形するためのコアピン１８ｐが固定されている。コアピン１８ｐには、Ｂ金型１７のドレン穴一部形成凸部１７ｂと当接する形状のドレン穴一部形成凹部１８ｐ１と、Ｂ金型１７と当接するＢ金型当接部１８ｐ２とが形成されている。コアピン１８ｐはＣ金型１８の一部とみなして説明する。
【００３２】
Ｂ金型１７の一部のドレン穴一部形成凸部１７ｂをＣ金型１８（コアピン１８ｐ）に食い込む形で構成する。
ドレンパン７の成形は下記のように行われる。
【００３３】
まず、図５Ａに示すように、Ａ金型１６とＢ金型１７とＣ金型１８とを組み合わせる（図５Ａの矢印α２０）。すると、Ａ金型１６とＢ金型１７とＣ金型１８の間に、ドレンパン７の形状のキャビティ７Ｃが形成される。
続いて、図５Ｂに示すように、図示しない樹脂充填口から、Ａ金型１６とＢ金型１７とＣ金型１８の間のキャビティ７Ｃに樹脂を充填する。
【００３４】
その後、図５Ｃの矢印α２１、α２２、α２３に示すように、Ａ金型１６とＢ金型１７とＣ金型１８をそれぞれ取り外す。こうして、ドレンパン７が形成される。
【００３５】
ここで、成形不具合時には、Ｂ金型１７とＣ金型１８の突き合わせ面７ｈ１の間に樹脂が入り込んでしまい、ドレン穴７ｈが塞がってしまうおそれがある。
【００３６】
図６に、ドレンパン７の成形不具合時の射出成形後にＡ金型１６、Ｂ金型１７、およびＣ金型１８を取り外す際のドレン穴７ｈ付近の拡大断面図を示す。
しかし、図６に示すように、成形後のＢ金型１７の動き（図６の矢印α２２）により、Ｂ金型１７のドレン穴一部形成凸部１７ｂが突き合わせ面７ｈ１に入り込んでしまった樹脂の一部ｊ１を突き破る（図６の矢印α２９）ことができる。そのため、ドレン穴７ｈが全閉状態となり、水漏れに至ることが抑制される。
【００３７】
上記構成によれば、ドレン穴７ｈの成形不具合があり、万が一、人の手による除去処理がきちんと行われなかった場合でも、ドレン穴７ｈが完全に塞がることはない。
従って、ドレン穴７ｈの詰まりによる水漏れの発生を抑制できる室内機を有する空気調和機を提供できる。
【００３８】
＜変形例＞
図７Ａに変形例のドレンパン７のドレン穴７ｈ付近を成形する状態を示し、図７Ｂに変形例のドレンパン７の成形不具合時の射出成形後にＡ金型２６、Ｂ金型２７、およびＣ金型２８を取り外す際のドレン穴７ｈ付近の拡大断面図を示す。
【００３９】
図７Ａに示すように、変形例では、Ｂ金型２７とＣ金型２８との突き合わせ部２７ｈ１をドレン穴７ｈの外部に形成している。その他の構成は、実施形態と同様であるので２０番台の符号を付して示す。
変形例は、ドレンパン７のドレン穴７ｈの外部で、Ｂ金型２７の一部のドレン穴一部形成凸部２７ｂをＣ金型２８（コアピン２８ｐ）に食い込む形で構成する。
【００４０】
成形不具合時には、Ｂ金型２７とＣ金型２８の突き合わせ面２７ｈ１の間に樹脂が入り込んでしまい、ドレン穴７ｈが塞がってしまうおそれがある。
しかし、図７Ｂに示すように、成形後にＡ金型２６、Ｂ金型２７、およびＣ金型２８を取り外す（図７Ｂの矢印α３１、α３２、α３３）際に際して、Ｂ金型２７の移動（図７Ａ、図７Ｂの矢印α３２）により、Ｂ金型２７のドレン穴一部形成凸部２７ｂが突き合わせ面２７ｈ１に入り込んでしまった樹脂の一部ｊ２を突き破る（図７Ｂの矢印α３２）ことができる。
【００４１】
そのため、Ｂ金型２７とＣ金型２８との突き合わせ部２７ｈ１をドレン穴７ｈの外部に形成した場合にも、ドレン穴７ｈが全閉状態となり、水漏れに至ることが抑制される。
【００４２】
＜＜その他の実施形態＞＞
１．ドレンパン７のドレン穴７付近を成形する金型を３つで構成した場合を説明したが、４つ以上の金型を用いて成形するように構成してもよい。
【００４３】
２．なお、前記実施形態で説明した構成は、本発明の一例を示したものであり、特許請求の範囲内において、様々な具体的形態が可能である。
【符号の説明】
【００４４】
７、２７      ドレンパン
７ｈ、２７ｈ  ドレン穴
１７、２７  Ｂ金型（第１金型）
７ｈ１、２７ｈ１  つき合わせ面（つき合わせ部）
１８、２８  Ｃ金型（第２金型）
１８ｐ、２８ｐ  コアピン（第２金型）
Ｃ      空気調和機
Ｃｉ    室内機
【図１】
2019167118.tif 000003
【図２】
2019167118.tif 000004
【図３】
2019167118.tif 000005
【図４】
2019167118.tif 000006
【図５Ａ】
2019167118.tif 000007
【図５Ｂ】
2019167118.tif 000008
【図５Ｃ】
2019167118.tif 000009
【図６】
2019167118.tif 000010
【図７Ａ】
2019167118.tif 000011
【図７Ｂ】
2019167118.tif 000012
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
冷房または除湿運転により生じる凝縮水を排出するためのドレン穴を有するドレンパンを備える室内機を具備する空気調和機の製造方法であって、
前記ドレンパンの前記ドレン穴を成形する第１金型と第２金型とを備え、
前記第１金型と前記第２金型との間のつき合わせ部は、段差状に形成され、
前記ドレン穴の成形後に前記第１金型が移動する際に、前記第１金型と前記第２金型との前記つき合わせ部の一部に前記第１金型が重なる
ことを特徴とする空気調和機の製造方法。
【請求項２】
請求項１に記載の空気調和機の製造方法において、
前記つき合わせ部の一部が、前記ドレン穴の内部、もしくは外部に配置されている
ことを特徴とする空気調和機の製造方法。
【請求項３】
冷房または除湿運転により生じる凝縮水を排出するためのドレン穴を有するドレンパンを備える室内機を具備する空気調和機の製造金型であって、
前記ドレンパンの前記ドレン穴を成形する第１金型と第２金型とを備え、
前記第１金型と前記第２金型との間のつき合わせ部は、段差状に形成され、
前記ドレン穴の成形後に前記第１金型が移動する際に、前記第１金型と前記第２金型の前記つき合わせ部との一部に前記第１金型が重なるように構成されている
ことを特徴とする空気調和機の製造金型。
【請求項４】
請求項３に記載の空気調和機の製造金型において、
前記つき合わせ部の一部が、前記ドレン穴の内部、もしくは外部に配置されている
ことを特徴とする空気調和機の製造金型。
【手続補正２】
【補正対象書類名】明細書
【補正対象項目名】０００８
【補正方法】変更
【補正の内容】
【０００８】
前記課題を解決するため、第１の本発明の空気調和機の製造方法は、冷房または除湿運転により生じる凝縮水を排出するためのドレン穴を有するドレンパンを備える室内機を具備する空気調和機の製造方法であって、前記ドレンパンの前記ドレン穴を成形する第１金型と第２金型とを備え、前記第１金型と前記第２金型との間のつき合わせ部は、段差状に形成され、前記ドレン穴の成形後に前記第１金型が移動する際に、前記第１金型と前記第２金型との前記つき合わせ部の一部に前記第１金型が重なっている。
【手続補正３】
【補正対象書類名】明細書
【補正対象項目名】０００９
【補正方法】変更
【補正の内容】
【０００９】
第２の本発明の空気調和機の製造金型は、冷房または除湿運転により生じる凝縮水を排出するためのドレン穴を有するドレンパンを備える室内機を具備する空気調和機の製造金型であって、前記ドレンパンの前記ドレン穴を成形する第１金型と第２金型とを備え、前記第１金型と前記第２金型との間のつき合わせ部は、段差状に形成され、前記ドレン穴の成形後に前記第１金型が移動する際に、前記第１金型と前記第２金型の前記つき合わせ部との一部に前記第１金型が重なるように構成されている。
【国際調査報告】
2019167118.tif 000013
2019167118.tif 000014
2019167118.tif 000015
2019167118.tif 000016